(57)【要約】      （修正有）【課題】梁せいや柱の太さが異なる接合構造にも適応でき、施工が容易である、ダンパーユニット及びそれを用いた制振構造を提供する。【解決手段】一対のダンパー体を組み合わせてなるダンパーユニット１であって、前記ダンパー体は、ベース体と、前記ベース体に粘弾性体を介して接着する連結体と、からなり、前記ベース体は平面視Ｌ字状であり、前記連結体は、前記ベース体のＬ字の内面に接着する接着部と、前記ベース体から延出する連結部と、を有する。【選択図】図１
0003204250.tif 000002
【実用新案登録請求の範囲】
【請求項１】
一対のダンパー体を組み合わせてなるダンパーユニットであって、
前記ダンパー体は、ベース体と、前記ベース体に粘弾性体を介して接着する連結体と、からなり、
前記ベース体は平面視Ｌ字状であり、
前記連結体は、前記ベース体のＬ字の内面に接着する接着部と、前記ベース体から延出する連結部と、を有することを特徴とする、
ダンパーユニット。
【請求項２】
請求項１に記載のダンパーユニットを用いた制振構造であって、
隣り合う柱材の一方に取り付ける前記ダンパーユニットと、一方の端部を他方の柱材に連結し他方の端部を前記ダンパーユニットに連結するブレース材と、からなり、
前記ブレース材は、前記ダンパーユニットと連結する側の端部に連結プレートを有し、
前記ダンパーユニットは、前記ダンパー体のＬ字の外面を合わせて前記柱材に取り付けられており、
前記ブレース材は、前記連結プレートを前記ダンパー体の前記連結体間に挿入して前記ダンパーユニットと連結することを特徴とする、
制振構造。
【考案の詳細な説明】
【技術分野】
【０００１】
本考案は、木造住宅の制振に用いるダンパーユニットおよびそれを用いた制振構造に関するものである。
【背景技術】
【０００２】
従来、戸建住宅の制振構造としては、２本の柱材および２本の横架材によって構成する接合構造に、ダンパー体およびブレース材を別途設けて構成するものが知られている。
この構造は、鋼製のダンパー体を一方の柱材に固定し、他方の柱材の上端又は下端に一方の端部を固定した鋼製のブレース材の他端をダンパー体に固定するものである。
【先行技術文献】
【特許文献】
【０００３】
【特許文献１】特開２００６−２０７２９２号公報
【考案の概要】
【考案が解決しようとする課題】
【０００４】
このようなダンパー体は、柱材に作用する力が集中するため剛性を高くする必要がある。
このため、ダンパー体は重量が重くなってしまい、現場への搬入や、柱への据え付け作業が困難である。
【０００５】
本考案は、軽量であり、現場への搬入や施工が容易である、ダンパーユニットおよびそれを用いた制振構造を提供することを目的とする。
【課題を解決するための手段】
【０００６】
上記目的を達成するためになされた本願の第１考案は、一対のダンパー体を組み合わせてなるダンパーユニットであって、前記ダンパー体は、ベース体と、前記ベース体に粘弾性体を介して接着する連結体と、からなり、前記ベース体は平面視Ｌ字状であり、前記連結体は、前記ベース体のＬ字の内面に接着する接着部と、前記ベース体から延出する連結部と、を有することを特徴とする、ダンパーユニットを提供する。
本願の第２考案は、第１考案のダンパーユニットを用いた制振構造であって、隣り合う柱材の一方に取り付ける前記ダンパーユニットと、一方の端部を他方の柱材に連結し他方の端部を前記ダンパーユニットに連結するブレース材と、からなり、
前記ブレース材は、前記ダンパーユニットと連結する側の端部に連結プレートを有し、前記ダンパーユニットは、前記ダンパー体のＬ字の外面を合わせて前記柱材に取り付けられており、前記ブレース材は、前記連結プレートを前記ダンパー体の前記連結体間に挿入して前記ダンパーユニットと連結することを特徴とする、制振構造を提供する。
【考案の効果】
【０００７】
本考案のダンパーユニットは二つのダンパー体に分割されているため、重量が軽くなり、現場への搬入や、柱への据え付け作業が容易になる。
【図面の簡単な説明】
【０００８】
【図１】本考案の制振構造の説明図
【図２】ダンパーユニットの斜視図
【図３】ダンパー体の分解斜視図
【図４】ブレース材の斜視図
【考案を実施するための形態】
【０００９】
以下、図に示す実施例に基づき、本考案を詳細に説明する。
【実施例１】
【００１０】
［１］制振構造の概要
（１）制振構造
本考案の制振構造は、一般的な戸建住宅の接合構造に用いるものである。
制振構造は、ダンパーユニット１と、ブレース材２と、からなる。そして、本考案を適用する接合構造は、平行する２本の柱材３、梁４および土台５からなる（図１）。
ダンパーユニット１は２本の柱材３のいずれか一方の高さ方向中央に固定する。
ブレース材２は、柱材３の梁４との接合部付近からダンパーユニット１に架ける上ブレース材２ａと、柱材３と土台５との接合部からダンパーユニット１に架ける２本の下ブレース材２ｂと、からなる。（図１）
【００１１】
（２）ダンパーユニット
ダンパーユニット１は、ダンパー体１１を２セット組み合わせたものである（図２）。
ダンパー体１１は、柱材３と接合するベース体１１１と、ブレース材２に連結する連結体１１２と、ベース体１１１と連結体１１２とを接着する粘弾性体１１３からなる（図３）。
【００１２】
（２−１）ベース体
ベース体１１１は鋼製であり、断面Ｌ字状の平板である。
ベース体１１１のＬ字の一方の外面は柱材３とビス１４を介して接合する。そして、他方の外面どうしを接合してダンパーユニット１を構成する。
【００１３】
（２−２）連結体
連結体１１２は、鋼製の平板であり、ベース体１１１のＬ字の内面に接着する接着部１１２ａと、ベース体１１１から延出する連結部１１２ｂを有する。
連結部１１２ｂにはブレース材２と連結するための横ねじ孔１１４を設ける。
横ねじ孔１１４は、横方向に長い長孔である。
横ねじ孔１１４は連結体１１２の高さ方向に所定の間隔を設けて複数設ける。
【００１４】
（２−３）ダンパー体の一体化
ダンパー体１１のベース体１１１および連結体１１２にはそれぞれねじ孔１１５、１１６を設ける。
そしてねじ孔１１５、１１６にボルト１３を挿通し、ナット１４を螺合することで、ダンパー体１１が一体となりダンパーユニット１となる。
ダンパーユニット１は二つのダンパー体１１に分割されているため、重量が軽くなり、現場への搬入や、柱への据え付け作業が容易になる。
ねじ孔１１５、１１６のうちどちらか一方は縦長とする。この長さは粘弾性体１３の変位量を超えない範囲で設定され、ボルト１３によってこの長さに変位量が制限される。
【００１５】
（２−４）粘弾性体
粘弾性体１３は高減衰ゴム、アクリルゴム等からなる。
粘弾性体１３は、一方の面をベース体１１１に接着し、他方の面を連結体１１２の接着部１２２ａに接着して、ベース体１１１と連結体１１２とを一体にする。
粘弾性体１３の両面にベース体１１１及び連結体１１２を接着することにより、粘弾性体１３は、ベース体１１１と連結体１１２の相対的な変位に合わせて変形し、制振を行う。
【００１６】
（３）ブレース材
ブレース材２は、長尺のブレース２１と、ブレース２１の一方の端部に設ける連結プレート２２と、からなる。（図４）
ブレース２１の他方の端部には接合金物等を設け、従来知られた接合方法によって柱材３に固定する。（図１）
【００１７】
（３−１）連結プレート
連結プレート２２は平板であり、ブレース２１の長さ方向に沿った状態で、溶接等によりブレース２１の端部に取り付ける。この際、ダンパーユニット１と組み合わせたときに連結プレート２２の側辺と連結体１１２の側辺とが略平行となるように、連結プレート２２は所定の角度をもってブレース２１に取り付ける。
連結プレート２２にはダンパーユニット１の連結体１１２と連結するための縦ねじ孔２３を設ける。
縦ねじ孔２３は、高さ方向（縦方向）に長い長孔であり、連結体１１２の横ねじ孔１１４とは略直交するように形成する。
縦ねじ孔２３は連結プレート２２の側辺に沿って、高さ方向に所定の間隔を設けて複数設ける。
【００１８】
（４）ダンパーユニットとブレース材の連結
ダンパーユニット１とブレース材２との連結は、ダンパーユニット１の２枚の連結体１１２間にブレース材２の連結プレート２２を挿入し、両者のねじ孔１１４、２３にボルトを挿通して連結する。
連結体１１２および連結プレート２２のねじ孔１１４、２３は複数あり、ボルトを挿通するねじ孔１１４、２３の組み合わせを変えることで、ブレース材２の高さ方向の配置を変更できる。
また、連結体１１２の横ねじ孔１１４と連結プレート２２の縦ねじ孔２３は互いに直交する長穴であるため、ブレース材２の横方向の配置を変更できる。
このように、高さ方向、横方向の配置変更ができるため、様々な太さ、梁せいの柱材３、梁４の接合構造に対応できる。
【００１９】
（５）制振構造
地震により木造住宅に力が作用すると、梁４、土台５に水平方向の力が働き、対して柱材３に傾きが生じる。そして、それに合わせて柱材３に取り付けたブレース材２が相対的に変位する。
ブレース材２はダンパーユニット１の連結体１１２と一体となっているため、２枚の連結体１１２は上下方向に変位する。この変位に合わせて粘弾性体１３が弾性変形することにより、振動エネルギーを吸収する。
【符号の説明】
【００２０】
１      ダンパーユニット
１１    ダンパー体
１１１  ベース体
１１２  連結体
１１３  粘弾性体
１１４  横ねじ孔
１１５  ねじ孔
１１６  ねじ孔
１２    ビス
１３    ボルト
１４    ナット
２      ブレース材
２      ブレース材
２１    ブレース
２２    連結プレート
２３    縦ねじ孔
３      柱材
４      梁
５      土台
【図１】
0003204250.tif 000003
【図２】
0003204250.tif 000004
【図３】
0003204250.tif 000005
【図４】
0003204250.tif 000006